(57)【要約】【課題】単な構造でかつデザイン性にも優れた着脱自在かつ日除け面積を調整できる日除け付き帽子を提供する。【解決手段】日除け付き帽子１は、帽子本体１０と、前記帽子本体１０に取り付けられる、断面が円状のレール部１４と、前記レール部１４に着脱可能に係合し、かつ当該レール部１４に係合しながら移動し日除け面積を調整可能な係合部２１を有する日除け部２０とを備えている。前記レール部１４の端の突出部１４１から前記係合部２１を挿入して係合させることで、前記日除け部２０が前記レール部１４に着脱可能に構成される。【選択図】図１
2015030951.tif 000002
【特許請求の範囲】
【請求項１】
帽子本体と、
前記帽子本体に取り付けられる、断面が円状のレール部と、
前記レール部を締め付けて係止した状態と、かつ当該レール部を係合しながら移動して日除け面積を調整可能な状態を構成する係合部を有する日除け部と、を備えた日除け付き帽子。
【請求項２】
前記レール部の端の突出部から前記係合部を挿入して係合させることで、前記日除け部が前記レール部に着脱可能に構成される、請求項１に記載の日除け付き帽子。
【請求項３】
前記レール部は、帽子本体を構成するクラウンまたは腰（クラウンの基部）の外面周部に沿って取り付けられている、請求項１または２に記載の日除け付き帽子。
【請求項４】
前記レール部は、暗闇で可視可能な発光部、発色部および/または反射部を有する、請求項３に記載の日除け付き帽子。
【請求項５】
前記レール部は、ツバ部に取り付けられている、請求項１または２に記載の日除け付き帽子。
【発明の詳細な説明】
【技術分野】
【０００１】
本発明は、日除け付き帽子（例えば、キャップ、ハット、ヘルメット）に関する。
【背景技術】
【０００２】
布などの日除け部が着脱自在に取り付け可能な帽子として、例えば、特許文献１は、帽子本体の周囲に雌雄スナップ（または面ファスナ）の一方を取り付け、その他方を日除け部に取り付けて、この雌雄スナップによって日除け部を帽子に着脱自在にした構成を開示している。
【０００３】
また、特許文献２は、クラウン部に釦を取り付け、日除け部に輪状の紐を取り付け、前記釦に前記紐を引っ掛けることで日除け部を帽子に着脱自在にした構成を開示している。また、釦と紐の取り付け以外に、面ファスナーも開示している。
【０００４】
また、特許文献３は、帽子の周囲に沿う形状の弾性線条体２をクリップ式の着脱具３で帽子の鍔部Ｃ２、Ｈ２に取り付け、輪状の布で構成された懸吊具４に弾性線条体２を通してカーテン５を弾性線条体２に取り付ける構成を開示している。
【０００５】
また、特許文献４は、ひさし部（鍔）の裏面またはクラウン下部の周囲に取り付けたレール２０にロック機構付きの駒片３０が差し込まれ、この駒片３０に日除け１０のプリーツ部が取り付けられている構成を開示している。
【先行技術文献】
【特許文献】
【０００６】
【特許文献１】特開２００２−８８５５５号公報
【特許文献２】特開２００５−２２６１９４号公報
【特許文献３】特開２００８−１３３５５０号公報
【特許文献４】特開平１１−３５０２２７号公報
【発明の概要】
【発明が解決しようとする課題】
【０００７】
しかしながら、上記特許文献１〜２は、日除け部が着脱式であるものの固定されているため、日除け範囲が一定であり簡単に調節できない。また、上記特許文献３は、クリップ式の着脱具３で帽子に取り付けるために潜在的に取付安定性に欠けるとともに、弾性線条体２に取り付けたカーテン５の移動を固定させるために別部材（カーテンストッパ用端子７、チェーン８）も必要とし、部材点数が多くコスト高であり、デザイン性も悪い。また、特許文献４は、複雑な構造のレール２０および駒片３０を用いており、しかも帽子周囲に取り付けたときのデザイン性も悪い。
【０００８】
本発明は上記問題に鑑みてなされたものであって、その目的は、簡単な構造でかつデザイン性にも優れた着脱自在かつ日除け面積を調整できる日除け付き帽子を提供することにある。
【課題を解決するための手段】
【０００９】
本発明に係る日除け付き帽子は、
帽子本体と、
前記帽子本体に取り付けられる、断面が円状のレール部と、
前記レール部を締め付けて係止した状態と、かつ当該レール部を係合しながら移動して日除け面積を調整可能な状態を構成する係合部を有する日除け部とを備えている。
【００１０】
この構成によれば、簡単な構造の係合部およびレール部を用いて、係合部をレール部に係合させながら移動し日除け面積を簡単に調整できる。簡単な構造であるためデザイン性にも優れる。
【００１１】
レール部は、例えば弾性材料で構成され、係合部がレール部を締め付けることで自由に移動することができず、移動させる場合は係合部を手で掴んで移動させる構成である。係合部がレール部を自由に動かない構造である。
【００１２】
日除け部は、１パーツまたは複数のパーツで構成されていてもよい。
【００１３】
上記発明の一実施形態として、前記レール部の端の突出部から前記係合部を挿入して係合させることで、前記日除け部が前記レール部に着脱可能に構成される。
【００１４】
レール部の突出部は、レール部の一方端でもよく、両方の端部に構成されていてもよい。
【００１５】
この構成によれば、係合部をレール部に対し着脱可能に構成できる。また、レール部を帽子に取り付けた後に、簡単に係合部をレール部に挿入し係合することができる。
【００１６】
上記発明の一実施形態として、前記レール部は、帽子本体を構成するクラウンまたは腰（クラウンの基部）の外面周部に沿って取り付けられている。
【００１７】
クラウンまたは腰（クラウンの基部）の外周部には、外側面、縁部を含む。レール部は、帽子を１周するように取り付けられていてもよく、部分的、例えば、顔前面を除く他の部分を含むように取り付けられていてもよい。レール部がクラウンまたは腰（クラウンの基部）の外面周部に沿って取り付けられていることで、日除け部が他の部材に干渉することなく下方向に垂れ下がるので耳部、首部などを効果的に覆うことができる。
【００１８】
上記発明の一実施形態として、前記レール部は、暗闇で可視可能な発光部、発色部および/または反射部を有する。
【００１９】
この構成によれば、暗闇において視認できるため安全性を高められる。発光部は自ら光を出す発光手段を有する。発色部は、例えば蛍光塗料、発色性塗料、発色性部材を含む構成である。反射部は、例えば、各種の反射材料を含む構成である。レール部の表面または一部分に発光部、発色部および／または反射部を形成されていてもよい。
【００２０】
上記発明の一実施形態として、前記レール部は、ツバ部に取り付けられている。ツバ部が帽子を１周するように形成されている場合に、少なくとも額（顔面）の範囲を除くツバ部の裏にレール部が取り付けられていることが好ましい。
【００２１】
上記発明の一実施形態として、日除け部は、例えば、生地、網構造生地、遮光性生地、プラスチックフィルムなどが挙げられる。
【００２２】
上記発明において、帽子は、特に制限されず、例えば、ツバ付きハット、ツバなしハット、ツバ付きキャップ、ツバなしキャップ、ベレー帽、ヘルメットなどが挙げられる。
【図面の簡単な説明】
【００２３】
【図１】実施形態１の日除け付き帽子の斜め前外観図である。
【図２】実施形態１の日除け付き帽子の斜め後外観図である。
【図３】日除け部を帽子に取り付ける方法を示す図である。
【図４】レールに挿入し係合した状態の係合部を示す図である。
【図５】係合部を示す図である。
【図６】実施形態２の日除け付き帽子の斜め前外観図である。
【図７】実施形態２の日除け付き帽子の内側を斜めからみた図である。
【図８】実施形態２の日除け部を示す図である。
【発明を実施するための形態】
【００２４】
（実施形態１）
本実施形態１のキャップ１を図１〜５を参照しながら説明する。なお、本発明はキャップに限定されず他の形態の帽子にも適用できる。
【００２５】
図１は、顔側にツバ部１１が形成されたキャップ１の一例を示す。キャップ１は、帽子本体１０と、ツバ部１１を有する。帽子本体１０に断面が円状のレール部１４が取り付けられている。レール部１４は、クラウンまたは腰を構成するように縫製された縫製部位（外面周部の縫製部位）に沿ってレール部１４が取り付けられている。縫製部位にレール部１４を取り付けているためキャップ全体のデザイン性を損なうことがなく、縫製加工と一緒にレール部１４を取り付けることができるため、製造コストを抑制できる。
【００２６】
図１、２に示すように、日除け部２０が縫製部位である外面周部に沿って取り付けられていることで、日除け部２０が他の部材に干渉することなく下方向に垂れ下がるので耳部、首部などを効果的に覆うことができる。
【００２７】
レール部１４には、日除け部２０の係合部２１が係止している。本実施形態１では4つの係合部２１であるが、これに限定されない。各係合部２１は、レール部１４に着脱可能に係合している。さらに、各係合部２１はレール部１４に係合しながら移動して、日除け部２０をカーテンのようにスライドさせて、日除け面積を調整できる。
【００２８】
レール部１４は、弾性材料で構成され、係合部２１がレール部１４を締め付けることで自由に移動することができず、移動させる場合は係合部２１を手で掴んで移動させる構成である。係合部２１がレール部１４を自由に動かない構造である。レール部１４の断面形状の円状としては、係合部２１と接触する形状に対応していればよく、例えば、真円に限定されず、楕円、長円、完全な円でなくともよく、半円、３/４の円、一部が欠けた円でもよい。
【００２９】
本実施形態１では、レール部１４は、細長い円柱形状の弾性体（例えば、ゴム、プラスチック、ビニール）または紐（例えばゴム紐、組み紐、繊維性の紐）であり、その周りを生地で被い、上記縫製部位に取り付けられている。また、別実施形態として、レール部１４は、長手方向の一方端に断面円状の上記弾性体（または上記紐）が形成され、かつ長手方向の他方端が上記縫製部位に取り付けられた、断面が鍵穴形状の長尺レール部材で構成される。
【００３０】
図３、４に示すように、レール部１４の端の突出部１４１から係合部２１を挿入して係合させることで、日除け部２０がレール部１４に着脱可能に構成される。図５に示すように係合部２１は、日除け部本体２３に縫製された断面輪状の帯部２２と結合される開口部２１ａと、レール部１４の外観形状に応じた形状である係合端部２１ｂとを有する。開口部２１ａに日除け部本体２３に縫製された断面輪状の帯部２２が巻かれることで、係合部２１と日除け部本体２３とが連結され、日除け部２０が構成される。
【００３１】
以上の構成によれば、簡単な構造の係合部２１およびレール部１４を用いて、係合部２１をレール部１４に係合させながら移動し日除け面積を簡単に調整できるとともに簡単な構造であるためデザイン性にも優れる。
【００３２】
（別実施形態）
上記レール部１４は、暗闇で可視可能な発光部、発色部および/または反射部を有する。この構成によれば、暗闇において視認できるため安全性を高められる。
【００３３】
（実施形態２）
実施形態２のハット５を図６〜８を参照しながら説明する。ハット５は、それを全周するツバ部５１が形成されている。ツバ５１の裏に、顔側を除いた位置にレール部１４が取り付けられている。レール部１４には、その突出部１４１から複数の係合部２１が挿入され日除け部２０が着脱自在に取り付けられる。また、係合部２１とレール部１４との係合方法は実施形態１と同様である。日除け部２０は、顎前で交差するように雌雄スナップ２４で固定可能に構成される。
【符号の説明】
【００３４】
１        キャップ
５        ハット
１０      帽子本体
１１      ツバ部
１４      レール部
１４１    突出部
２０      日除け部
２１      係合部
２１ａ    開口部
２１ｂ    係合端部
２２      帯部
２３      日焼け部本体
【図１】
2015030951.tif 000003
【図２】
2015030951.tif 000004
【図３】
2015030951.tif 000005
【図４】
2015030951.tif 000006
【図５】
2015030951.tif 000007
【図６】
2015030951.tif 000008
【図７】
2015030951.tif 000009
【図８】
2015030951.tif 000010
【手続補正書】
【提出日】平成26年12月4日(2014.12.4)
【手続補正１】
【補正対象書類名】特許請求の範囲
【補正対象項目名】全文
【補正方法】変更
【補正の内容】
【特許請求の範囲】
【請求項１】
帽子本体と、
前記帽子本体に取り付けられる、断面が円状のレール部と、
前記レール部を締め付けて係止した状態と、かつ当該レール部を係合しながらカーテンのようにスライド移動して日除け面積を調整可能な状態を構成する係合部を有する日除け部と、を備えた日除け付き帽子。
【請求項２】
前記レール部の端の突出部から前記係合部を挿入して係合させることで、前記日除け部が前記レール部に着脱可能に構成される、請求項１に記載の日除け付き帽子。
【請求項３】
前記レール部は、帽子本体を構成するクラウンまたは腰（クラウンの基部）の外面周部に沿って取り付けられている、請求項１または２に記載の日除け付き帽子。
【請求項４】
前記レール部は、暗闇で可視可能な発光部、発色部および/または反射部を有する、請求項３に記載の日除け付き帽子。
【請求項５】
前記レール部は、ツバ部に取り付けられている、請求項１または２に記載の日除け付き帽子。
【手続補正２】
【補正対象書類名】明細書
【補正対象項目名】０００９
【補正方法】変更
【補正の内容】
【０００９】
本発明に係る日除け付き帽子は、
帽子本体と、
前記帽子本体に取り付けられる、断面が円状のレール部と、
前記レール部を締め付けて係止した状態と、かつ当該レール部を係合しながらカーテンのようにスライド移動して日除け面積を調整可能な状態を構成する係合部を有する日除け部とを備えている。
【手続補正３】
【補正対象書類名】明細書
【補正対象項目名】００１０
【補正方法】変更
【補正の内容】
【００１０】
この構成によれば、簡単な構造の係合部およびレール部を用いて、係合部をレール部に係合させながらカーテンのようにスライド移動し日除け面積を簡単に調整できる。簡単な構造であるためデザイン性にも優れる。